(57)【要約】【課題】受信パケット中に、誤り訂正能力を超える誤りが含まれると予想される場合に、パケットの途中で復調を停止し、消費電力を低減する。【解決手段】受信パケットの先頭で受信ＣＮＲを測定し、パケットのヘッダー部に挿入されたデータレート・パケット長を復号する。測定された受信ＣＮＲとデータレート・パケット長の情報より、ＰＥＲの推定を行い、推定されたＰＥＲが閾値を下回る場合にはデータの復調を継続し、推定されたＰＥＲが閾値を上回る場合にはパケットの途中で復調を停止する。【選択図】　図１
2004032467.tif 000002
【特許請求の範囲】
【請求項１】
パケット信号による通信を行うパケット通信装置であって、
受信した受信パケット信号に基づいて、信号電力対雑音電力比を測定する信号電力対雑音電力比測定部と、
前記受信パケット信号を復調する復調部と、
該復調部において復調された復調信号を復号する復号部であって、前記受信パケット信号に挿入されたパケット信号情報を復号する復号部と、
前記信号電力対雑音電力比測定部により測定された信号電力対雑音電力比と、前記復号部により復号されたパケット信号情報と、に基づいて、パケット誤り率を推定するパケット誤り率推定部と
を備えたパケット通信装置。
【請求項２】
前記パケット信号情報は、前記受信パケット信号の変調方式と符号化率とパケット長とから成る群から選択される情報である
請求項１に記載のパケット通信装置。
【請求項３】
さらに、前記復調信号に基づいて、前記パケット信号が受信されるまでの伝搬路の状況を推定する伝搬路推定部を備え、
前記パケット誤り率推定部は、さらに前記伝搬路推定部により推定された伝搬路状況をも加味してパケット誤り率を推定する
請求項１又は２に記載のパケット通信装置。
【請求項４】
さらに、前記パケット誤り率の推定値に関する第１の閾値であって、前記受信パケット信号の復調を継続するか復調を停止するかを判断する基準となる第１の閾値を記憶し、該第１の閾値と前記パケット誤り率の推定値とを比較する第１比較部を備える
請求項１から３までのいずれか１項に記載のパケット通信装置。
【請求項５】
さらに、前記パケット誤り率の推定値に関する第２の閾値であって、前記パケット誤り率の推定値が前記第１の閾値よりも大きく、かつ、前記第２の閾値よりも小さい場合に、送信側に対して送信電力と変調方式と符号化率とのうちから選択される少なくともいずれかを前記パケット誤り率が小さくなるように変更してパケット信号を再送する再送要求を行う基準となる第２の閾値を記憶し、該第２の閾値と前記パケット誤り率の推定値とを比較する第２比較部を備える
請求項４に記載のパケット通信装置。
【請求項６】
前記パケット誤り率推定部は、前記伝搬路状況と前記パケット信号状況とを含む受信条件に基づいてパケット誤り率を推定するテーブルを有している
請求項３から５までのいずれか１項に記載のパケット通信装置。
【請求項７】
前記受信電力対雑音電力比の測定対象は、パケット信号中のプリアンブル期間内であることを特徴とする
請求項１から６までのいずれか１項に記載のパケット通信装置。
【請求項８】
パケット信号による通信を行うパケット通信方法であって、受信した受信パケット信号に基づいて、信号電力対雑音電力比を測定するステップと、
前記受信パケット信号を復調するステップと、
前記受信パケット信号に挿入され復調されたパケット信号情報を復号するステップと、
前記信号電力対雑音電力比と、復号された前記パケット信号情報と、に基づいて、パケット誤り率を推定するステップと、
推定されたパケット誤り率に基づいてパケット信号の復調を継続するか否かを決めるステップと
を有するパケット通信方法。
【発明の詳細な説明】
【０００１】
【発明の属する技術分野】
本発明は、パケット内にデータレート及びパケット長の情報を有するパケット通信技術に関する。
【０００２】
【従来の技術】
パーソナルコンピュータや通信ネットワーク等の発達に伴い、各種データの伝送形式として、データをパケット単位で伝送するパケット通信方式の採用が拡大している。
【０００３】
パケット通信には、パケット長が一定の定長パケット通信方式と、パケット長が変化する不定長パケット通信方式の２種類の通信方式がある。従来、パケット通信方式としては、パケット長が一定である定長パケット通信方式が一般的であった。
【０００４】
しかしながら、圧縮された画像データや音声データ等、大きさの一定しないデータを伝送する機会が増えたことに対応して、パケット長が変化する不定長パケット通信方式を採用する必要性が増えている。不定長パケット通信方式のシステムでは、通常、パケット内にデータレート及びパケット長の情報を含むのが一般的である。パケット内にデータレート及びパケット長の情報を含む不定長パケット通信方式のシステムの一つとして、ＩＥＥＥ８０２．１１ａがある。
ＩＥＥＥ８０２．１１ａでは、アクセス方式として、ＣＳＭＡ／ＣＡ（Ｃａｒｒｉｅｒ　Ｓｅｎｓｅ　Ｍｕｌｔｉｐｌｅ　Ａｃｃｅｓｓ　／　Ｃｏｌｌｉｓｉｏｎ　Ａｖｏｉｄａｎｃｅ）方式を採用することが規定されている。この方式の基本動作を図１４に示す。
【０００５】
図１４に示すようにＣＳＭＡ／ＣＡ方式では、送信端末は他端末の通信状況を観測（キャリアセンス）し、通信が行われていないことを確認した後、パケットを送信する。通信中の端末が存在する場合には、その他の端末は、通信中の端末が通信を終了するまでパケットの送信を控える。
【０００６】
このように送信されたパケットが受信端末において正しく受信された場合には、データの受信が完了したことを示す送達確認（Ａｃｋ）信号が、受信端末から送信端末に返送される。一方、パケットが正しく受信されなかった場合には、受信端末は何の動作もしないか、或いは、送達未確認（Ｎａｋ）信号を返送する。
【０００７】
但し、これらのＡｃｋ信号やＮａｋ信号は、データパケットの通信終了後、ＳＩＦＳ（Ｓｈｏｒｔ　Ｉｎｔｅｒ　Ｆｒａｍｅ　Ｓｐａｃｉｎｇ）時間だけ経過した後に送信されることが定められている。ＳＩＦＳは、２つのパケット間の時間間隔を表すいくつかのＩＦＳ（ＤＩＦＳ、ＰＩＦＳ　など）の中で最小の値として定められており、ＳＩＦＳ間隔でＡｃｋ信号等を送信することにより、他端末による割り込みを防ぎ、通信帯域を確保することが可能となる。
【０００８】
このＳＩＦＳ時間経過後にＡｃｋ信号が返送されなかった場合、送信端末は、データの送受が成功しＡｃｋを受信するか、または、予め決められた再送回数に達するまでパケットの再送を行う。
【０００９】
一般に、パケット方式のデジタル通信システムの受信機では、受信された信号は、検波ステップ、復調ステップ、誤り訂正復号ステップ、誤り検出ステップを経て、データとして出力される。但し、誤り検出ステップにおいて誤りが検出されたパケットのデータは廃棄される。このように、パケットのデータが廃棄された場合には、前述のように送信側にはＡｃｋ信号が返送されず、送信側よりパケットの再送が行われた。
【００１０】
以上に説明した受信動作においては、データの受理および破棄は、全ての信号が復調されるまで決定されない。従って、例えば伝搬路の変動などにより十分な受信ＣＮＲが得られず、パケット中に誤り訂正能力を超える誤りが含まれる確率が高い場合においても、信号を全て復調することになる。このため受信動作における消費電力に無駄が生じる。対策として、受信ＣＮＲが低い場合にパケットの途中で復調を停止する受信装置が、例えば、特開平１０−１６３９１０号公報に記載されている。この受信装置の構成を、図１６に示す。
【００１１】
図１６に示すように、受信装置は、アンテナ１１と、検波器１２と、復調部１３と、誤り訂正復号部１４と、誤り検出部１５と、受信ＣＮＲ測定器１６と、受信ＣＮＲ比較器１７と、電源制御器１８とを備えている。この受信装置における動作を図１７に示す。
【００１２】
この受信装置では、送信側からの信号がアンテナ１１で受信されると、受信ＣＮＲ測定器１６によりパケットの先頭における受信ＣＮＲを測定する（ステップＳ１０１）。次いで、受信ＣＮＲ比較器１７において、測定された受信ＣＮＲと閾値が比較され、受信ＣＮＲが十分か否かを判定する（ステップＳ１０２）。
【００１３】
この受信ＣＮＲ比較器１７において受信ＣＮＲが十分であると判定された場合には、復調部１３において復調処理が行われる（ステップＳ１０４）。受信ＣＮＲが不十分と判定された場合には、電源制御器１８により復調部１３の電源がオフにされ、復調処理は行われずパケットは破棄される（ステップＳ１０３）。以上の動作により、このデータ受信装置では復調処理における消費電力の低減を図っている。
【００１４】
【発明が解決しようとする課題】
先に述べたように、図１６、図１７に示す復調停止機能は、受信パケットの先頭における受信ＣＮＲの測定結果と、定められた閾値とを比較し、後続の処理を決定する。かかる手法は、ある１つの変調方式・符号化率、ならびに、パケット長を有するデータを扱う場合には適した手法である。
【００１５】
しかしながら、図１２および図１３に示すように、ＰＥＲは、受信ＣＮＲと、用いられる変調方式・符号化率・パケット長等とに依存するため、複数の変調方式・符号化率・パケット長を用いて通信を行う通信システムを対象とする場合には、それらのパラメータに応じた閾値を新たに設定する必要があり、従来の方式では適切に動作しない。
【００１６】
また、先に述べたようにＣＳＭＡ／ＣＡ方式では、受信ＣＮＲが低く、正しく受信することが困難な状況においても再送を続けるため、受信装置だけでなく送信装置の消費電力にも無駄が生じてしまう。さらにこの場合、一つの端末が再送を続けることによりチャネルの利用効率の低下を招くという問題も生じる。
【００１７】
本発明は、複数の変調方式・符号化率・パケット長を用いて通信を行うパケット通信システム（技術）において、特に受信装置の消費電力を低減することを目的とする。
【００１８】
【課題を解決するための手段】
本発明の一観点によれば、パケット信号による通信を行うパケット通信装置であって、受信した受信パケット信号に基づいて、信号電力対雑音電力比を測定する信号電力対雑音電力比測定部と、前記受信パケット信号を復調する復調部と、該復調部において復調された復調信号を復号する復号部であって、前記受信パケット信号に挿入されたパケット信号情報を復号する復号部と、前記信号電力対雑音電力比測定部により測定された信号電力対雑音電力比と、前記復号部により復号されたパケット信号情報と、に基づいて、パケット誤り率を推定するパケット誤り率推定部とを備えたパケット通信装置が提供される。
【００１９】
上記パケット通信装置によれば、信号電力対雑音電力比（ＣＮＲ）とパケット信号情報とに基づいて推定されたパケット誤り率を求めることができるので、複数の変調方式、符号化率、パケット長を用いるパケット通信システムにおいて、後続の処理をパケット誤り率に基づいて決めることが出来る。
【００２０】
さらに、前記復調信号に基づいて、前記パケット信号が受信されるまでの伝搬路の状況を推定する伝搬路推定部を備え、前記パケット誤り率推定部は、さらに前記伝搬路推定部により推定された伝搬路状況をも加味してパケット誤り率を推定するのが好ましい。
伝搬路の状態も加味してパケット誤り率を推定することにより、より精度の良い推定が可能になる。
【００２１】
さらに、前記パケット誤り率の推定値に関する第１の閾値であって、前記受信パケット信号の復調を継続するか復調を停止するかを判断する基準となる第１の閾値を記憶し、該第１の閾値と前記パケット誤り率の推定値とを比較する第１比較部を備えるのが好ましい。
第１比較部の比較結果に基づき、その後の処理を正しく行うことができる。
【００２２】
さらに、前記パケット誤り率の推定値に関する第２の閾値であって、前記パケット誤り率の推定値が前記第１の閾値よりも大きく、かつ、前記第２の閾値よりも小さい場合に、送信側に対して送信電力と変調方式と符号化率とのうちから選択される少なくともいずれかを前記パケット誤り率が小さくなるように変更してパケット信号を再送する再送要求を行う基準となる第２の閾値を記憶し、該第２の閾値と前記パケット誤り率の推定値とを比較する第２比較部を備えるのが好ましい。
受信状況に応じて送信側の条件を改善させることにより、受信失敗の繰り返しを防止することができる。
【００２３】
尚、推定ＰＥＲが、第２の閾値より大きい場合には、パケットの再送を一時中断することにより、使用中のチャンネルを他端末に開放することで、受信ＣＮＲが著しく低い状況におけるパケットの再送回数を抑え、チャネルの有効利用を図ることができる。
【００２４】
【発明の実施の形態】
本発明の実施の形態について説明する前に、発明者の行った考察について図３を参照しつつ説明する。
【００２５】
発明者は、パケット通信システムにおいて、受信ＣＮＲの測定結果によりパケットの復調処理を行うか破棄処理を行うかを判断するのではなく、受信ＣＮＲの測定結果とデータレート・パケット長の情報により推定したＰＥＲ値に基づいてパケットの復調処理を行うか破棄処理を行うかを判断することを思い付いた。
【００２６】
より詳細には、パケット先頭部分の信号の受信ＣＮＲ測定結果と、パケットのヘッダー部（シグナルフィールド）に挿入された情報であって使用するデータレート（変調方式・符号化率）及びパケット長のパケット信号情報とに基づいて、パケット誤り率　ＰＥＲ（Ｐａｃｋｅｔ　Ｅｒｒｏｒ　Ｒａｔｅ）の推定を行う。
【００２７】
図３は、受信ＣＮＲとＰＥＲとの関係を示す模式的な図である。受信ＣＮＲが大きくなるとＰＥＲは小さくなる。
推定されたＰＥＲ値＞第１の閾値Ａである場合、すなわち、受信しているパケットにおける受信エラーにより一定の受信品質を得られないと判断された場合には、受信したパケットの復調処理を中止する。すなわち、一定の受信品質を得られないと判断された場合には、意味のない復調動作を中止し、消費電力の低減を図ることができる。
【００２８】
尚、図３に示すように、第１の閾値Ａより大きい第２の閾値Ｂを設定しておき、推定ＰＥＲが閾値Ａ以下の場合には通常の動作を継続し、推定ＰＥＲが閾値Ａよりも大きく、かつ、閾値Ｂ以下（閾値Ａ＜閾値Ｂ）の場合に、送信電力と、変調方式と、符号化率と、のうちから選択される少なくとも１つを、ＰＥＲを改善する（小さくなる）方向に変更し、廃棄したパケット信号データと同じデータを変更した条件で再送するように送信側に再送要求を行うこともできる。推定ＰＥＲが、閾値Ｂよりさらに大きい場合には、パケットの再送を一時中断することにより、使用中のチャネルを他の端末に開放する。
このようにすれば、受信ＣＮＲが著しく低い状況におけるパケットの再送回数を抑え、チャネルの有効利用を図ることができる。
【００２９】
上記考察に基づき、以下、本発明の一実施の形態によるパケット通信システムについて、図面を参照しつつ説明する。以下に説明するパケット通信システムは、パケット内にデータレート及びパケット長の情報を有するＩＥＥＥ８０２．１１ａに準拠したパケット通信システムを例にしたものである。
【００３０】
まず、図１５に、パケット通信システムのパケットフォーマット例を示す。図１５に示すように、ＩＥＥＥ８０２．１１ａの物理層のパケットフォーマットは、シンボルのプリアンブル部ＰＡと、データレートやパケット長に関する情報を含むシグナルフィールドＳＦと、可変長のデータ部ＤＡＴＡとを含んで構成される。
【００３１】
尚、ＩＥＥＥ８０２．１１ａパケット通信システムは、プリアンブル部ＰＡおよびシグナルフィールドＳＦは、予め規定された変調方式や符号化率（誤り訂正符号化を行う場合の伝送効率を表す：符号化率１／２の場合には送信ビットの１／２が情報ビットであり、残り１／２が冗長ビットとなる）を用いて送信される。これに対して、データ部ＤＡＴＡの変調方式、符号化率及びデータ長は、それぞれ可変となっている。
【００３２】
次に、本実施の形態によるパケット通信システムにおける、受信装置の構成例を図１に示す。
【００３３】
図１に示すように、受信装置（通信端末装置）は、アンテナ２１と、検波器２２と、復調部２３と、誤り訂正復号部２４と、誤り検出部２５と、受信ＣＮＲ測定部２６と、伝搬路推定部２７と、ＰＥＲ推定部２８と、ＰＥＲ比較部２９と、電源制御部３０と、送信部３１と、上位層３２とを含んで構成されている。
【００３４】
特に、従来の受信装置と異なり、伝搬路推定部２７と、ＰＥＲ推定部２８と、ＰＥＲ比較部２９と、を有している点が、本実施の形態によるパケット通信システムにおける受信装置を特徴付ける点である。
【００３５】
次に、図１を参照して受信ＣＮＲの測定と制御データの復調について説明する。図１に示す受信装置は、復調／復号処理系と、受信状況推定系と、に大別される。復調／復号処理系は、信号の受信／復号を目的としており、信号は、アンテナ２１と、検波器２２と、復調部２３と、誤り訂正復号部２４と、誤り検出部２５と、を経て受信データとして上位層３２に出力される。受信状況推定系は、信号の受信状況の推定と、その推定結果に応じた受信装置を含む端末の対応の決定と、を目的としており、信号は、受信ＣＮＲ測定部２６、伝搬路推定部２７、ＰＥＲ推定部２８、ＰＥＲ比較部２９を経て、電源制御部３０に出力される。
【００３６】
上記「受信状況推定系」において、受信ＣＮＲ測定部２６は、プリアンブル部ＰＡ（図１５）のＲＳＳＩ値を基にして受信ＣＮＲを算出する。伝搬路推定部２７は、復調部２３から信号分岐された復調出力に基づいて、伝搬路状態を推定する。ＰＥＲ推定部２８において、受信ＣＮＲと、伝搬路状態と、復号出力のデータ（パケットのデータ部の変調方式、符号化率、及び、データ長）とに基づいて、受信中のパケットの推定ＰＥＲを算出する。
【００３７】
ＰＥＲ比較部２９は、ＰＥＲ推定部２８において算出された推定ＰＥＲが、あるＰＥＲ値以下となるか否かと、データの再送中断の要否とを判定する。すなわち、推定ＰＥＲがある値以下となる場合には、データ部の復調、復号処理を継続する。推定ＰＥＲがある値よりも大きくなる場合には、データ部の復調、復号処理を中止し、受信パケットのデータを廃棄する。
【００３８】
再送の一時中断までは必要でないと判定された場合には、送信電力、変調方式、伝送レートの少なくとも何れか１つをＰＥＲ値が改善するように変更した後にデータの再送を求める再送要求を、送信側に返信するように上位層３２へデータを出力する。再送を一時中断する必要があると判定された場合には、送信側にパケットの再送中断要求を送るように、上位層３２へデータを出力する。このようにして、受信状況判定の結果に基づき、復調／復号処理、再送処理等の対応を決定する。
【００３９】
尚、上位層３２は、図１の受信装置を含む通信端末の送受信の動作全般について、制御する機能を有する。図１に示す受信装置の動作を、図２のフローチャート図を参照して説明する。
【００４０】
まず、パケットのショートプリアンブル部ＰＡの信号に基づき、受信ＣＮＲを算出する（ステップＳ１１）。シグナルフィールドＳＦとパケット宛先アドレスデータとを復調し、自端末宛てのデータの変調方式と、符号化率と、データ長とを取得する（ステップＳ１２）。次に、サブキャリアの受信電力の偏差△Ｐを基に、伝搬路状況を推定する（ステップＳ２０）。受信ＣＮＲと、伝搬路状態と、自端末宛てのデータの変調方式と、符号化率と、データ長とに対応するＰＥＲを推定する（ステップＳ３０）。推定ＰＥＲと閾値Ａ（所要のＰＥＲ値）とを比較し（ステップＳ４１）、推定ＰＥＲが閾値Ａ以下の場合には、ステップＳ４２に進み、復調を継続する。ステップＳ４１において推定ＰＥＲ＞閾値Ａの場合には、ステップＳ５１に進み、受信パケットの復調処理を中止するとともに、パケットを廃棄する。次いで、ステップ５２に進み、推定ＰＥＲと閾値Ｂとを比較する。推定ＰＥＲが閾値Ｂ以下の場合には、ステップＳ５３に進む。送信側に対して、受信ＰＥＲが改善するように、送信出力と、変調方式と、符号化率との少なくとも１つを変化させた上での再送を求める再送要求を送信側に対して行なう。
推定ＰＥＲ＞閾値Ｂの場合には、ステップＳ５４に進み、送信側に対する再送要求をせず、再送中断要求を送る。
【００４１】
以下に、伝搬路状況の推定ステップ（ステップＳ２０）について図４を参照しつつ説明する。図４は、伝搬路推定部２７の構成を示す機能ブロック図である。伝搬路推定部２７は、復調出力信号の各サブキャリアの信号レベルを測定するサブキャリア電力測定部４１と、　　測定したサブキャリアの最大電力と最小電力との差△Ｐを算出するサブキャリア電力偏差ΔＰ検出部４２と、△Ｐと予め設定した閾値Ｐｔｈとを比較し、△Ｐ＞Ｐｔｈの場合はマルチパス環境下と判断し、△Ｐ≦Ｐｔｈの場合は非マルチパス（ガウス雑音）環境下と判断する伝搬路状況推定部４３と、閾値Ｐｔｈを格納した伝搬路状況推定用閾値格納部４４とを備えている。
【００４２】
図５に伝搬路推定部２７の処理の流れを示す。図５に示すように、伝搬路推定部２７に入力された復調部２３（図１）の復調出力は、図５のフローチャートに示す様に、サブキャリア電力測定部４１での、復調出力信号の各サブキャリアの信号レベルを測定する（ステップＳ２１）。サブキャリア電力測定部４１で測定した各サブキャリアの信号レベルを基に、図１０に示すようにサブキャリア電力偏差ΔＰ検出部４２においてサブキャリアの最大電力ＰＭＡＸと最小電力ＰＭＩＮとを抽出し（ステップＳ２１）、最大電力と最小電力との差△Ｐを算出する（ステップＳ２２）。伝搬路状況推定部４３において、△Ｐと予め設定した閾値Ｐｔｈとの比較を行い、伝搬路状況の判定をする（ステップＳ２３）。
【００４３】
受信ＰＥＲの推定にあたり、図１の受信機に伝搬路推定部２７を設けることにより、受信ＣＮＲが同一であっても、伝搬路状況によりＰＥＲが異なる点を考慮する。
【００４４】
一般的に、受信信号帯域の信号の受信レベルが、全般的に一定（ガウス雑音環境下）となる場合と、図１０に示すように、障害物等によって発生した複数の伝搬路（マルチパス）によって生じた複数のマルチパス信号の相互干渉により、受信信号帯域の受信レベルに差が生じる“周波数選択性フェージング（マルチパス環境下）”が発生する場合とがある。
【００４５】
ＰＥＲに与える影響を比較すると、受信ＣＮＲが同一の場合、図１１に示す様に、“マルチパス環境下”でのＰＥＲは、“ガウス雑音環境下”でのＰＥＲより大きくなる。従って、受信ＣＮＲからＰＥＲを推定する場合には、“ガウス雑音環境”であるか、“周波数選択性フェージング環境”であるか、すなわち、伝搬路状況を推定し把握する必要がある。
【００４６】
次に、ＰＥＲの推定について説明する。ＰＥＲ推定部２８の構成を示す機能ブロック図を図６に示す。図６に示すように、ＰＥＲ推定部２８は、伝搬路状況と受信ＣＮＲとパケットデータ部の特徴パラメータ（パケットのデータ部の変調方式、符号化率、及びデータ長）と推定ＰＥＲとの対応表（ＰＥＲテーブル）を格納したＰＥＲ推定用テーブル格納部５３と、ＰＥＲ推定用テーブル格納部５３に格納されたＰＥＲテーブルから、伝搬路状況と受信ＣＮＲとに対応したＰＥＲテーブルを選択するＰＥＲ推定用テーブル選択部５１と、復号データから得たパケットデータ部の特徴パラメータを基に、ＰＥＲ推定用テーブル選択部５１によって選択されたＰＥＲテーブルから、推定ＰＥＲを選択する推定ＰＥＲ選択部５２と、を備えている。
【００４７】
ＰＥＲ推定部２８では、受信ＣＮＲ測定部２６からの受信ＣＮＲと、伝搬路推定部２７からの伝搬路状況判定結果と、パケットデータ部の特徴パラメータとに基づき、図７のフローチャート図に示すように、受信ＣＮＲに対応するＰＥＲテーブルを選択する（ステップＳ３１）。次いで、伝搬路状況判定結果に対応するＰＥＲテーブルを選択する（ステップＳ３２）。選択したＰＥＲテーブルからパケットデータ部の特徴パラメータに対応する推定ＰＥＲを選択する（ステップＳ３３）。この処理を経て、推定ＰＥＲを出力する。
【００４８】
尚、ＰＥＲの推定手段及び推定方法として、予め計算（準備）しておいた推定ＰＥＲテーブルから、条件の一致する推定ＰＥＲを選択する方法を説明したが、これ以外の伝搬路状況判定結果、受信ＣＮＲ及びパケットデータ部の特徴パラメータを変数とした、一定の規則に従った計算式を使って、その都度、推定ＰＥＲを計算する手法を採用しても良い。
【００４９】
図８に、ＰＥＲ比較部２９の構成を示す。図８に示すように、ＰＥＲ比較部２９は、第１の閾値Ａを格納する閾値Ａ格納部６２と第２の閾値Ｂを格納する閾値Ｂ格納部６３と、ＰＥＲ推定部２８において推定された推定ＰＥＲと、第１の閾値Ａを比較する比較器６１と、比較器６１において推定ＰＥＲ＞閾値Ａと判定された場合に推定ＰＥＲと第２の閾値Ｂ（Ａ＜Ｂ）とを比較する比較器６４と、を有している。図２のフローチャート図に示すように、まず、推定ＰＥＲと閾値Ａとを比較する（ステップＳ４１）。推定ＰＥＲ≦閾値Ａの場合、ステップＳ４２に進み受信パケットの復調処理を継続する。推定ＰＥＲ＞閾値Ａの場合、ステップＳ５１に進み、受信パケットの復調処理を中止し、パケットを廃棄する。次いで、推定ＰＥＲと閾値Ｂを比較し（ステップＳ５２）、推定ＰＥＲ≦閾値Ｂの場合、ステップＳ５３へ進む。送信側に対して、受信ＰＥＲが改善するように、送信出力、変調方式、符号化率のうち少なくとも１つを変化させた上での再送要求を行う。推定ＰＥＲ＞閾値Ｂの場合、ステップＳ５４に進み、再送中断要求を行う。復調部２３と、誤り訂正復号部２４と、誤り検出部２５と、上位層３２と、に対して制御信号を出力する。
【００５０】
尚、ステップＳ５３において受信ＰＥＲが改善するように、送信出力、変調方式、符号化率を変化させる処理は以下の処理を含む。
送信出力に関しては、送信電力を増加させる処理である。変調方式に関しては、ＱＡＭをＱＰＳＫに、ＱＰＳＫをＢＰＳＫにというように、変調方式を１シンボル当たりの伝送情報量の少ない変調方式に変更する処理である。符号化率に関しては、符号化率を低くする処理である。
【００５１】
また、受信失敗の場合の、データ部の復調、復号処理を中止の方法としては、復調部２３と、誤り訂正復号部２４と、誤り検出部２５とに対する電源の供給の停止するか、信号処理に使用するクロックの供給停止するかのいずれかの方法を採用するのが一般的であるが、上記以外の方法を採用しても良い。
【００５２】
以上説明したように、本実施の形態によるパケット通信装置によれば、パケットの先頭部分のデータから求めた受信ＣＮＲを基に、ＰＥＲを推定し、その推定ＰＥＲより現在の伝搬路状況を推定し、その結果を基に、復調動作の停止や、データの再送、データ再送の中断を決定する。
【００５３】
従って、現在の伝搬路状況が劣悪であると判定した場合には、パケットデータの復調、復号を途中でも中止する為、無駄な信号処理動作をなくし、端末の消費電力を低下させることができる。
【００５４】
また、伝搬路の状況に応じて、ＰＥＲを推定することにより、伝搬路の状況に応じた対応が可能となる。伝搬路状況に応じて、パケットの再送や、再送の中断（回線の開放）を判定することで、回線の有効利用が可能となる。
【００５５】
受信に失敗したパケットを再送する際、送信側に、送信出力、変調方式、符号化率を、ＰＥＲを改善する方向への変更を要求することで、受信失敗の繰り返しの発生を抑制できる。
【００５６】
【発明の効果】
本発明によるパケット通信装置によれば、無駄な信号処理動作を無くし、端末の消費電力を低下させることができる。伝搬路状況に応じて、パケットの再送や、再送の中断（回線の開放）を判定することで、回線の有効利用が可能となる。さらに、ＰＥＲを改善する方向への変更を要求することで、受信失敗の繰り返しの発生を抑制できる。
【図面の簡単な説明】
【図１】本発明の実施の形態によるパケット通信装置（受信装置）の構成を示すブロック図である。
【図２】本発明の実施の形態によるパケット通信装置における受信動作を示すフローチャート図である。
【図３】本発明の実施の形態によるパケット通信技術の原理を説明するための概念図である。
【図４】伝搬路推定部の構成を示す機能ブロック図である。
【図５】伝搬路推定部の動作を示すフローチャート図である。
【図６】ＰＥＲ推定部の構成を示す機能ブロック図である。
【図７】ＰＥＲ推定部の動作を示すフローチャート図である。
【図８】ＰＥＲ比較部の構成を示す機能ブロック図である。
【図９】ＰＥＲ推定用のテーブルの構成例を示す図である。
【図１０】マルチパス環境下におけるＯＦＤＭ信号の受信スペクトル図である。
【図１１】ガウス雑音環境とマルチパス環境とにおけるＣＮＲ／ＰＥＲ特性を模式的に示す図である。
【図１２】ＣＮＲ／ＰＥＲ特性を異なる変調方式について示した図である。
【図１３】パケット長とＰＥＲの関係を模式的に示す図である。
【図１４】ＣＳＭＡ／ＣＡ方式の通信方法の基本動作を示す図である。
【図１５】ＩＥＥＥ８０２．１１ａにおいて規定されている物理層のパケットフォーマットを示す図である。
【図１６】一般的なパケット通信装置（受信装置）の構成例を示す機能ブロック図である。
【図１７】一般的なパケット通信装置（受信装置）の受信動作を示すフローチャート図である。
【符号の説明】
１１、２１…アンテナ、１２、２２…検波器、１３、２３…復調部、１４、２４…誤り訂正復号部、１５、２５…誤り検出部、１６、２６…受信ＣＮＲ測定部、１７…受信ＣＮＲ比較器、２７…伝搬路推定部、２８…ＰＥＲ推定部、２９…ＰＥＲ比較比較部、１８、３０…電源制御部、３１…送信部、３２…上位層、４１…サブキャリア電力検出部、４２…サブキャリア電力偏差△Ｐ検出部、４３…伝搬路状況推定部、４４…伝搬路状況推定用閾値格納部、５１…ＰＥＲ推定用テーブル選択部、５２…推定ＰＥＲ選択部、５３…ＰＥＲ推定用テーブル格納部、６１…比較器、６２…閾値Ａ格納部、６３…閾値Ｂ格納部、６４…比較器。
【図１】
2004032467.tif 000003
【図２】
2004032467.tif 000004
【図３】
2004032467.tif 000005
【図４】
2004032467.tif 000006
【図５】
2004032467.tif 000007
【図６】
2004032467.tif 000008
【図７】
2004032467.tif 000009
【図８】
2004032467.tif 000010
【図９】
2004032467.tif 000011
【図１０】
2004032467.tif 000012
【図１１】
2004032467.tif 000013
【図１２】
2004032467.tif 000014
【図１３】
2004032467.tif 000015
【図１４】
2004032467.tif 000016
【図１５】
2004032467.tif 000017
【図１６】
2004032467.tif 000018
【図１７】
2004032467.tif 000019